(57)【特許請求の範囲】
【請求項１】
マトリクス状に配置された各画素に対し表示データに応じた画像を表示するための各走査信号線に対し、表示用走査信号をそれぞれ出力するための走査信号線駆動部を有する表示装置用駆動回路において、
上記各走査信号線への表示用走査信号の出力を順次出力から一括出力に移行するための移行指示信号に基づいて、複数の走査信号線に対し、一括して表示用走査信号を出力するように上記走査信号線駆動部から各走査信号線への表示用走査信号の出力を制御する制御手段と、
画像の表示のための同期信号と移行指示信号とに基づいて上記走査信号線駆動部の作動を停止する停止手段とを有していることを特徴とする表示装置用駆動回路。
【請求項２】
上記走査信号線駆動部は、各走査信号線に対して表示用走査信号をそれぞれ出力するための複数のシフトレジスタ部を互いに縦続して有していることを特徴とする請求項１記載の表示装置用駆動回路。
【請求項３】
上記制御手段は、上記移行指示信号に基づいて未走査領域を判別する未走査領域判別部を有し、上記未走査領域判別部により判別される未走査領域に対応する走査信号線のみに上記表示用走査信号を一括出力するように上記走査信号線駆動部から各走査信号線への表示用走査信号の出力を制御することを特徴とする請求項１または２に記載の表示装置用駆動回路。
【請求項４】
上記走査信号線駆動部は、垂直方向に走査開始位置が複数設定され、上記複数の走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することを特徴とする請求項２記載の表示装置用駆動回路。
【請求項５】
マトリクス状に配置された各画素に対し表示データに応じた画像を表示するために、各走査信号線に対してそれぞれ表示用走査信号を出力し、上記表示データに基づく表示用データ信号を各データ信号線に出力すると共に、非画像領域と画像表示領域とからなる部分表示機能を有する表示装置の駆動方法において、
非画像領域に対応する各走査信号線および各データ信号線に対し、一括して上記非画像領域に応じた表示用走査信号および表示用データ信号を出力し、
上記非画像領域に応じた上記表示用走査信号の一括した出力は、上記各走査信号線への表示用走査信号の出力を順次出力から一括出力に移行するための移行指示信号に基づいて行い、
上記移行指示信号に基づいて、未走査領域に対応する走査信号線のみに上記表示用走査信号を一括出力した後、次の順次出力を行うまでの期間、表示装置の動作を停止することを特徴とする表示装置の駆動方法。
【請求項６】
マトリクス状に配置された各画素に対し表示データに応じた画像を表示するために、各走査信号線に対してそれぞれ表示用走査信号を出力し、上記表示データに基づく表示用データ信号を各データ信号線に出力すると共に、非画像領域と画像表示領域とからなる部分表示機能を有する表示装置の駆動方法において、
上記各走査信号線への表示用走査信号の出力を順次出力から一括出力に移行するための移行指示信号に基づいて、複数の走査信号線に対し、一括して表示用走査信号を出力し、
上記移行指示信号に基づいて、未走査領域に対応する走査信号線のみに上記表示用走査信号を一括出力した後、次の順次出力を行うまでの期間、表示装置の動作を停止することを特徴とする表示装置の駆動方法。
【請求項７】
垂直方向に複数設定された走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することを特徴とする請求項６記載の表示装置の駆動方法。
【請求項８】
上記移行指示信号に基づいて、未走査領域に対応する走査信号線の第１のライン群と第２のライン群とのそれぞれに一括して表示用走査信号を出力することを特徴とする請求項５ないし７の何れか１項に記載の表示装置の駆動方法。
【請求項９】
上記走査信号線に対して、表示用走査信号の順次出力時と一括出力時とで表示用走査信号の周波数を異ならせることを特徴とする請求項５ないし８の何れか１項に記載の表示装置の駆動方法。
【請求項１０】
マトリクス状に配置された各画素に対し表示データに応じた画像を表示するために、各走査信号線に対し表示用走査信号をそれぞれ出力する走査信号線駆動部と、上記表示データに基づく表示用データ信号を各データ信号線に出力するデータ信号線駆動部と、上記表示データによる画像表示領域と、非画像領域とを上記各画素にそれぞれ設定するための設定部とを有する画像表示装置において、
上記設定部による非画像領域に対応する各走査信号線に対して表示用走査信号を一括出力するように走査信号線駆動部を制御する走査信号線制御手段と、
表示データに基づく水平期間による、一括出力を過ぎ、次の順次出力に達するまでの期間、データ信号線駆動部の動作を停止する第一停止手段とを有していることを特徴とする画像表示装置。
【請求項１１】
マトリクス状に配置された各画素に対し表示データに応じた画像を表示するために、各走査信号線に対し表示用走査信号をそれぞれ出力する走査信号線駆動部と、上記表示データに基づく表示用データ信号を各データ信号線に出力するデータ信号線駆動部と、上記表示データによる画像表示領域と、非画像領域とを上記各画素にそれぞれ設定するための設定部とを有する画像表示装置において、
上記設定部による非画像領域に対応する各走査信号線に対して表示用走査信号を一括出力するように走査信号線駆動部を制御する走査信号線制御手段と、
表示データに基づく水平期間による、一括出力を過ぎ、次の順次出力に達するまでの期間、走査信号線駆動部の動作を停止する第二停止手段とを有していることを特徴とする画像表示装置。
【請求項１２】
マトリクス状に配置された各画素に対し表示データに応じた画像を表示するために、各走査信号線に対し表示用走査信号を上記表示データに基づきそれぞれ出力する走査信号線駆動部と、上記表示データに基づく表示用データ信号を各データ信号線に出力するデータ信号線駆動部と、上記表示データによる画像表示領域と、非画像領域とを上記各画素にそれぞれ設定するための設定部とを有する画像表示装置において、
上記設定部による非画像領域に対応する各走査信号線に対して表示用走査信号を一括出力するように走査信号線駆動部を制御する走査信号線制御手段と、
表示データに基づく水平期間による、一括出力を過ぎ、次の順次出力に達するまでの期間、データ信号線駆動部の動作を停止する第一停止手段と、
表示データに基づく水平期間による、一括出力を過ぎ、次の順次出力に達するまでの期間、走査信号線駆動部の動作を停止する第二停止手段とを有していることを特徴とする画像表示装置。
【請求項１３】
表示用走査信号が一括して出力されたときに、非画像領域用の表示用データ信号を各データ信号線に対し出力するようにデータ信号線駆動部を制御するデータ信号線制御手段を有していることを特徴とする請求項１０ないし１２のいずれか１項に記載の画像表示装置。
【請求項１４】
画像表示領域の表示のための第一クロック信号と、非画像領域の表示のための第二クロック信号とが互いに異なっていることを特徴とする請求項１０ないし１３の何れか１項に記載の画像表示装置。
【請求項１５】
マトリクス状に配置された各画素に対し表示データに応じた画像を表示するために、各走査信号線に対し表示用走査信号をそれぞれ出力する走査信号線駆動部と、上記表示データに基づく表示用データ信号を各データ信号線に出力するデータ信号線駆動部とを有し、上記各画素が上記表示データによる画像表示領域と非画像領域とからなる部分表示機能を有する画像表示装置において、
上記各走査信号線への表示用走査信号の出力を順次出力から一括出力に移行するための移行指示信号に基づいて、複数の走査信号線に対し、一括して表示用走査信号を出力するように上記走査信号線駆動部から各走査信号線への表示用走査信号の出力を制御する走査信号線制御手段を有しており、
上記走査信号線制御手段は、上記移行指示信号に基づいて、未走査領域に対応する走査信号線のみに上記表示用走査信号を一括出力した後、次の順次出力を行うまでの期間、作動を停止するように上記走査信号線駆動部から各走査信号線への表示用走査信号の出力を制御することを特徴とする画像表示装置。
【請求項１６】
上記走査信号線駆動部は、各走査信号線に対して表示用走査信号をそれぞれ出力するための複数のシフトレジスタ部を互いに縦続して有し、垂直方向に走査開始位置が複数設定され、上記複数の走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することを特徴とする請求項１５記載の画像表示装置。
【請求項１７】
上記走査信号線制御手段は、上記移行指示信号に基づいて、未走査領域に対応する走査信号線の第１のライン群と第２のライン群とのそれぞれに一括して表示用走査信号を出力するように上記走査信号線駆動部から各走査信号線への表示用走査信号の出力を制御することを特徴とする請求項１５または１６に記載の画像表示装置。
【発明の詳細な説明】
【０００１】
【発明の属する技術分野】
本発明は、表示領域のうち、一部を画像表示領域とし、他の部分を非画像領域に設定できると共に、低消費電力化を図れる、表示装置用駆動回路、表示装置の駆動方法、および画像表示装置に関するものである。
【０００２】
【従来の技術】
携帯電子機器、特に携帯電話においては、通信インフラストラクチャーが整備されるに伴って、より大量の情報（文字、図、イラスト、写真などの画像情報）を高速に通信する方向に進んでいる。そのような大量な情報を表示するため、携帯電子機器の表示部となる液晶表示部においても、より解像度が高い表示品位の優れたものが望まれている。
【０００３】
このような液晶表示部において解像度を高めることは、ドット数つまり画素数を増加させる必要があることから、携帯電子機器における消費電力の増加を招来する。しかし、携帯電子機器においては、その電源である電池の寿命を長期化するために、全体として低消費電力であることが要求されている。
【０００４】
このような要求に応じるために、従来、液晶表示部において、必要な領域のみを画像表示領域として表示し、その他の領域は非画像領域とする部分表示による低消費電力化を図ることが検討されている。
【０００５】
従来は、アクティブマトリクス型液晶表示部であるＴＦＴ（薄層トランジスタ、Thin Film Transistor）型液晶パネルにおいて、部分表示駆動する場合、非画像領域も、画像表示領域と同様のタイミングで駆動を行っていた。また、単純マトリクス型液晶パネルでは、特開平１１−１８４４３４号公報に開示されているように、書き込み手段が、部分表示状態に移行する前に非画像領域に白信号電圧を書き込んでおくという方法が知られている。上記公報においては、一部アクティブマトリクス型の走査方向の部分表示についての記載はある。
【０００６】
【発明が解決しようとする課題】
しかしながら、上記公報では、白信号電圧を書き込んだ非画像領域の画素からは印加された電圧が次第に変化つまり減少していくことから、白表示を維持するためには新たに白信号電圧を書き込む必要が生じる。つまり、上記公報では、非表示領域に一度、対向電極と同一の電圧を書き込めば、それ以降は非画像領域（非表示部分）には電圧を書き込まないことを開示しているが、アクティブマトリクス型液晶パネルにおいては、書き込んだ電荷が時間の経過と共に減少していくため、上記した手法は使用できず、非画像領域においても一定周期で電圧を書き込む必要がある。よって、特開平１１−１８４４３４号公報に開示された構成および方法では、新たに白信号電圧を書き込むために、低消費電力化を実現できない。
【０００７】
しかも、上記従来の方法では、走査線方向での部分表示を行う際、対向電極を有するアクティブマトリクス型液晶パネルにおいては、書き込まれた電圧を保持するため、走査線方向での部分表示する際の非表示部分でも逆極性の白信号電圧を一定の間隔で書き込むことによって、液晶への焼きつき等の不具合を回避する必要がある。
【０００８】
従来は、非表示部分においても表示部分と同様にゲートドライバのシフトレジスタを一水平期間毎にカウントアップさせて走査していた。この場合、ソースドライバからの映像信号出力は、当然、全走査ライン分出力せねばならず、液晶パネルとしての消費電力が部分表示の場合でも全体表示と同様な大きさになり、何ら低消費電力化にならないという問題を有している。
【０００９】
なお、特許第２５８５４６３号公報には、入力映像信号の有効走査線数より表示領域の走査線数が多い場合に、１フレーム期間内の帰線期間に有効表示部分の走査線以外の走査線を複数本、同時に走査することにより、時間軸の変更無しに表示を実現することができることが開示されている。
【００１０】
しかしながら、上記特許第２５８５４６３号公報に記載の方法は、例えば有効表示領域が表示領域（表示画面）の一番下に位置する場合には、全てを通常通り走査するようになっており、何ら問題を解決できていない。また、上記特許第２５８５４６３号公報には、有効表示部分の走査線以外の走査線を複数本、同時に走査することが開示されてはいるが、該公報は、垂直周期における水平ライン数（垂直周期における水平カウント数）が表示装置の走査線数よりも少ない場合における回路の簡素化を目的としたものであり、低消費電力を実現するためのものではなく、低消費電力を実現するための動作に関する記述がない。このため、低消費電力化を実現することはできない。また、垂直周期における水平ライン数（垂直周期における水平カウント数）が表示装置の走査線数よりも多い場合については考慮されていない。さらに、上記従来の技術では、画面のチラツキの防止について、何の考慮もなされていない。
【００１１】
本発明の目的は、非画像領域部分を、例えば一水平期間または二水平期間で、全て走査するように設定することにより、消費電力が他の電気回路部分より大きなソースドライバの出力時間を削減すると共に、ソースドライバのロジック系の動作自体も停止する期間を設けることができて、部分表示駆動する際の低消費電力化を実現できる表示装置用駆動回路、表示装置の駆動方法、および画像表示装置を提供することにある。また、本発明の目的は、さらに、画面のチラツキを防止することができる表示装置用駆動回路、表示装置の駆動方法、および画像表示装置を提供することにある。
【００１２】
【課題を解決するための手段】
本発明に係る表示装置用駆動回路は、以上の課題を解決するために、マトリクス状に配置された各画素に対し表示データに応じた画像を表示するための各走査信号線に対し、上記表示データに基づく表示用走査信号（例えばＯＮ信号）をそれぞれ出力するための走査信号線駆動部（例えばゲートドライバにおける双方向シフトレジスタ部）を有する表示装置用駆動回路（例えばゲートドライバ）において、上記各走査信号線への表示用走査信号の出力を順次出力から一括出力に移行するための移行指示信号（例えばモード信号としてのゲート制御信号ＧＣＮＴ1 ）に基づいて、複数の走査信号線（例えば移行指示信号が制御手段に入力されてから次の順次出力が行われるまでの全走査信号線、具体的には、非画像領域、特に、非画像領域における未走査領域の走査信号線）に対し、一括、例えば一水平期間または二水平期間にて一括して表示用走査信号を出力するように上記走査信号線駆動部から各走査信号線への表示用走査信号の出力を制御する制御手段（例えば出力制御ブロック、より具体的には、入力部およびＡＮＤ回路を備えた出力制御ブロック、さらに具体的には、該出力制御ブロックにおける入力部およびＡＮＤ回路）を有していることを特徴としている。
【００１３】
本発明に係る表示装置の駆動方法は、以上の課題を解決するために、マトリクス状に配置された各画素に対し表示データに応じた画像を表示するために、各走査信号線に対してそれぞれ表示用走査信号（例えばＯＮ信号）を上記表示データに基づき出力し、上記表示データに基づく表示用データ信号（例えば映像信号）を各データ信号線に出力すると共に、非画像領域と画像表示領域とからなる部分表示機能を有する表示装置の駆動方法において、非画像領域に対応する各走査信号線および各データ信号線に対し、一括、例えば一水平期間または二水平期間にて一括して上記非画像領域に応じた表示用走査信号および表示用データ信号を出力することを特徴としている。
【００１４】
また、本発明に係る表示装置の駆動方法は、以上の課題を解決するために、マトリクス状に配置された各画素に対し表示データに応じた画像を表示するために、各走査信号線に対してそれぞれ表示用走査信号（例えばＯＮ信号）を上記表示データに基づき出力し、上記表示データに基づく表示用データ信号（例えば映像信号）を各データ信号線に出力すると共に、非画像領域と画像表示領域とからなる部分表示機能を有する表示装置の駆動方法において、上記各走査信号線への表示用走査信号の出力を順次出力から一括出力に移行するための移行指示信号（例えばモード信号としてのゲート制御信号ＧＣＮＴ1 ）に基づいて、複数の走査信号線に対し、一括、例えば一水平期間または二水平期間にて一括して表示用走査信号を出力することを特徴としている。
【００１５】
本発明に係る画像表示装置は、以上の課題を解決するために、マトリクス状に配置された各画素に対し表示データに応じた画像を表示するために、各走査信号線に対し表示用走査信号（例えばＯＮ信号）を上記表示データに基づきそれぞれ出力する走査信号線駆動部（例えばゲートドライバにおける双方向シフトレジスタ部）と、上記表示データに基づく表示用データ信号（例えば映像信号）を各データ信号線に出力するデータ信号線駆動部（例えばゲートドライバ）と、上記表示データによる画像表示領域と、非画像領域とを上記各画素にそれぞれ設定するための設定部（例えばコントロールＩＣ）とを有する画像表示装置において、上記設定部による非画像領域に対応する各走査信号線に対して表示用走査信号を一括、例えば一水平期間または二水平期間にて一括して出力するように走査信号線駆動部を制御する走査信号線制御手段（例えば出力制御ブロック、より具体的には、入力部およびＡＮＤ回路を備えた出力制御ブロック）を有していることを特徴としている。
【００１６】
また、本発明に係る画像表示装置は、以上の課題を解決するために、マトリクス状に配置された各画素に対し表示データに応じた画像を表示するために、各走査信号線に対し表示用走査信号（例えばＯＮ信号）を上記表示データに基づきそれぞれ出力する走査信号線駆動部（例えばゲートドライバにおける双方向シフトレジスタ部）と、上記表示データに基づく表示用データ信号（例えば映像信号）を各データ信号線に出力するデータ信号線駆動部（例えばゲートドライバ）とを有し、上記各画素が上記表示データによる画像表示領域と非画像領域とからなる部分表示機能を有する画像表示装置において、上記各走査信号線への表示用走査信号の出力を順次出力から一括出力に移行するための移行指示信号（例えばモード信号としてのゲート制御信号ＧＣＮＴ1 ）に基づいて、複数の走査信号線に対し、一括、例えば一水平期間または二水平期間にて一括して表示用走査信号を出力するように上記走査信号線駆動部から各走査信号線への表示用走査信号の出力を制御する走査信号線制御手段（例えば出力制御ブロック、より具体的には、入力部およびＡＮＤ回路を備えた出力制御ブロック）を有していることを特徴としている。
【００１７】
上記構成および方法によれば、例えば、非画像領域においては、単色、例えば白色の表示であるので、移行指示信号に基づき、複数の走査信号線（各走査信号線）に対し一括して表示用走査信号を出力することにより、上記非画像領域に対し単色の表示が可能となる。このとき、非画像領域、例えば全非画像領域あるいは非画像領域における未走査領域を一括して表示するので、一括表示した後に走査信号線駆動部を停止する期間を確保できることから、上記走査信号線駆動部での消費電力を低減できて、低消費電力化できる。なお、上記未走査領域とは、一垂直期間における未走査部分（例えば液晶表示装置等の表示装置の内部のスイッチング素子をＯＮにする電圧が未出力の端子）に相当する部分を示す。
【００１８】
このように、本発明においては、非画像領域においても書き込んだ電荷が減少することを考慮し、一定周期で非画像領域に電圧を印加し、この非画像領域に電圧を印加する場合の低消費電力化を実現している。
【００１９】
また、本発明においては、帰線期間においてのみ画像表示装置の走査信号線が複数本同時に走査されるのではなく、例えば移行指示信号に基づいて、帰線期間、帰線期間以外の期間に拘らず、強制的に、それ以降の走査信号線が同時走査される。また、本発明は、垂直周期における水平ライン数が画像表示装置の走査信号線よりも少ない場合のみならず、垂直周期における水平ライン数が画像表示装置の走査信号線数よりも多い場合でも低消費電力を実現することができる。
【００２０】
上記表示装置用駆動回路においては、上記走査信号線駆動部は、上記走査信号線駆動部は、各走査信号線に対して表示用走査信号をそれぞれ出力するための複数のシフトレジスタ部を互いに縦続して有していることが好ましい。
【００２１】
上記構成によれば、シフトレジスタ部を複数有することにより、例えば、画像表示領域の設定が変更された場合でも、非画像領域ではあるが、通常の走査を行う必要があるシフトレジスタ部を低減、つまり、一つのシフトレジスタ部の全ての各走査信号線が上記非画像領域に対応する場合には、上記シフトレジスタ部を一括走査して非画像領域を表示できるので、非画像領域であっても通常の走査を必要とするシフトレジスタ部の数を低減できて、低消費電力化できる。
【００２２】
また、上記構成では、シフトレジスタ部を複数有することにより、上記各シフトレジスタ部を個々に一括走査したり、作動を停止したりできるので、低消費電力化を確実化できる。
【００２３】
上記表示装置用駆動回路では、画像の表示のための同期信号（例えば垂直同期信号に同期させたゲートスタートパルス信号ＧＳＰ）と移行指示信号とに基づいて上記走査信号線駆動部の作動を停止する停止手段を有していることが好ましい。つまり、上記表示装置用駆動回路には、次に走査が開始されるまで（言い換えれば、次に表示用走査信号の順次出力が行われるまで）上記走査信号線駆動部の作動を停止する停止手段（例えば出力パルス制御部、スタート位置デコード回路部、その他のゲートドライバ停止手段等）が設けられていることが好ましい。上記構成によれば、停止手段により、低消費電力化をより一層確実化できる。
【００２４】
また、上記表示装置用駆動回路では、上記制御手段は、上記移行指示信号に基づいて未走査領域を判別する未走査領域判別部（例えば上記移行指示信号が入力される入力部とＡＮＤ回路とからなる領域判定部）を有し、上記未走査領域判別部により判別される未走査領域に対応する走査信号線のみに上記表示用走査信号を一括出力するように上記走査信号線駆動部から各走査信号線への表示用走査信号の出力を制御することが好ましい。上記構成によれば、画像表示領域において、上下、すなわち、垂直方向の各走査信号線間でリフレッシュレートに差が発生することを防止し、画像表示領域での表示ムラを防止することができる。
【００２５】
さらに、上記表示装置用駆動回路では、上記走査信号線駆動部は、垂直方向に走査開始位置が複数設定され、上記複数の走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することが好ましい。
【００２６】
同様に、上記表示装置の駆動方法では、垂直方向に複数設定された走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することが好ましい。
【００２７】
上記画像表示装置では、上記走査信号線駆動部は、各走査信号線に対して表示用走査信号をそれぞれ出力するための複数のシフトレジスタ部を互いに縦続して有し、垂直方向に走査開始位置が複数設定され、上記複数の走査開始位置のうち、画像表示領域の前部側に隣接する非画像領域における走査開始位置から画像表示領域までの非画像領域と画像表示領域とに対応する走査信号線に上記表示用走査信号を順次出力し、その後、上記移行指示信号に基づいて未走査領域に対応する走査信号線に上記表示用走査信号を一括して出力することが好ましい。
【００２８】
１つのシフトレジスタ部に画像表示領域と非画像領域とが存在する場合、該シフトレジスタ部を一括走査すると、画像表示領域が非表示となる。しかしながら、上記の構成によれば、垂直方向に走査開始位置が複数設定され、複数の走査開始位置のうち、画像表示領域の前部側に隣接する非画像領域における走査開始位置から画像表示領域までの非画像領域については画像表示領域と同様、表示用走査信号を順次出力して順次走査することにより、画像表示領域が削減されることがなく、しかも、上記各シフトレジスタ部を個々に順次走査あるいは一括走査することができるので、非画像領域ではあるが通常の走査を行う必要があるシフトレジスタ部を低減することができる。
【００２９】
さらに、上記の構成によれば、上記走査信号線駆動部は、複数の走査開始位置のうち、画像表示領域の前部側に隣接する非画像領域における走査開始位置から画像表示領域までの非画像領域と画像表示領域とに対応する走査信号線に上記表示用走査信号を順次出力した後は、未走査領域に対応する走査信号線に上記表示用走査信号を一括して出力することで、上記移行指示信号に基づいて未走査領域に対応する走査信号線に上記表示用走査信号を一括して出力した後、次の順次出力を行うまでの期間は、作動、つまり、該走査信号線駆動部の作動を停止することができ、一括表示した後に走査信号線駆動部を停止する期間を確保できることから、上記走査信号線駆動部での消費電力を低減でき、低消費電力化を図ることができる。しかも、未走査領域に対応する走査信号線に上記表示用走査信号を一括して出力することで、画像表示領域において、上下、すなわち、垂直方向の各走査信号線間でリフレッシュレートに差が発生することを防止し、画像表示領域での表示ムラを防止することができる。
【００３０】
このため、上記表示装置の駆動方法では、上記移行指示信号に基づいて、未走査領域に対応する走査信号線のみに上記表示用走査信号を一括出力した後、次の順次出力を行うまでの期間、表示装置の動作を停止することが好ましい。また、上記画像表示装置では、上記走査信号線制御手段は、上記移行指示信号に基づいて、未走査領域に対応する走査信号線のみに上記表示用走査信号を一括出力した後、次の順次出力を行うまでの期間、作動を停止するように上記走査信号線駆動部から各走査信号線への表示用走査信号の出力を制御することが好ましい。上記構成によれば、低消費電力化をより一層確実化できる。
【００３１】
また、上記表示装置の駆動方法では、上記移行指示信号に基づいて、未走査領域に対応する走査信号線の第１のライン群（例えば奇数ライン群、あるいは、二水平ラインを一組としたときの奇数組群）と第２のライン群（例えば偶数ライン群、あるいは、二水平ラインを一組としたときの偶数組群）とのそれぞれに一括して表示用走査信号を出力することが好ましい。上記画像表示装置では、上記走査信号線制御手段は、上記移行指示信号に基づいて、未走査領域に対応する走査信号線の第１のライン群と第２のライン群とのそれぞれに一括して表示用走査信号を出力するように上記走査信号線駆動部から各走査信号線への表示用走査信号の出力を制御することが好ましい。上記構成によれば、未走査領域に対応する走査信号線の第１のライン群と第２のライン群とのそれぞれに一括して表示用走査信号を出力することにより、非画像領域に書き込まれる電圧の極性を一走査線（一水平ライン）毎、あるいは二走査線（二水平ライン）毎に反転することができ、画面のチラツキを減少することができる。
【００３２】
また、上記表示装置の駆動方法では、上記走査信号線に対して、表示用走査信号の順次出力時と一括出力時とで表示用走査信号の周波数を異ならせることが好ましい。上記構成によれば、表示用走査信号の一括出力時における表示用走査信号の周波数を、表示用走査信号の順次出力時における表示用走査信号の周波数に対し、低周波数に設定できるので、低消費電力をより一層確実化できると共に、低周波数化により表示動作を安定化できる。
【００３３】
さらに、上記画像表示装置においては、表示用走査信号が一括して出力されたときに、非画像領域用の表示用データ信号を各データ信号線に対し出力するようにデータ信号線駆動部を制御するデータ信号線制御手段（例えばコントロールＩＣ）を有していることが好ましい。上記構成によれば、データ信号線制御手段により、非画像領域の表示を安定化できる。
【００３４】
上記画像表示装置では、表示データに基づく水平期間による、一括出力を過ぎ、次の順次出力に達するまでの期間、データ信号線駆動部の動作を停止する第一停止手段（例えばソースドライバ停止手段）を有していることが望ましい。上記画像表示装置においては、表示データに基づく水平期間による、一括出力を過ぎ、次の順次出力に達するまでの期間、走査信号線駆動部の動作を停止する第二停止手段（例えばゲートドライバ停止手段）を有していることが好ましい。上記構成によれば、第一停止手段や第二停止手段を設けたことにより、低消費電力化をより一層確実化できる。
【００３５】
上記画像表示装置では、画像表示領域の表示のための第一クロック信号と、非画像領域の表示のための第二クロック信号とが互いに異なっていてもよい。上記構成によれば、非画像領域の表示のための第二クロック信号を、第一クロック信号に対し、低周波数に設定できるので、低消費電力をより一層確実化できると共に、低周波数化により表示動作を安定化できる。
【００３６】
【発明の実施の形態】
本発明の実施の形態について図１ないし図６に基づいて説明すれば、以下の通りである。なお、以下では、本発明に係る、非画像領域（以下、非表示部分という）と画像表示領域（以下、表示部分という）とに分別して表示する部分表示機能において、非表示部分は白色ベタに設定するという前提の元に説明するが、他の単色ベタ、例えば黒ベタでも同様に実現できる。
【００３７】
本発明に係る表示装置としての液晶表示装置は、図２に示すように、液晶パネル１と、液晶パネル１の各データ信号線を駆動するためのソースドライバ（データ信号線駆動部）２と、液晶パネル１の各走査信号線を駆動するためのゲートドライバ（表示装置用駆動回路、走査信号線駆動部）３と、上記ソースドライバ２およびゲートドライバ３を制御して、液晶パネル１において、表示データに基づいた画像を表示するためのコントロールＩＣ４とを有している。
【００３８】
コントロールＩＣ４は、コンピュータなどの内部にある図示しないメモリ（例えば画像メモリ）に蓄えられている表示データ（例えば画像データ）を受け取り、ソースドライバ２にソース制御信号、ソースクロック信号ＳＣＫ、ＳＣＮＴ信号を配信し、ゲートドライバ３にゲート制御信号であるゲートスタートパルス信号ＧＳＰ、ゲートクロック信号ＧＣＫ、ＣＳ1 ／2 信号、ＧＣＮＴ1 ／2 信号を配信する。これら全ての信号は、同期している。
【００３９】
液晶パネル１は、各データ信号線と各走査信号線とを、それぞれ格子状に互いに直交するように備えており、各データ信号線と各走査信号線との各交点の間に、それぞれ、液晶層が、各画素としてマトリクス状にそれぞれ形成されているものである。
【００４０】
ソースドライバ２は、各データ信号線に応じたシフトレジスタを有しており、データ信号線制御手段としても機能するコントロールＩＣ４からのクロック信号ＣＬＫに基づいて、シリアルな表示データを上記シフトレジスタによりパラレルな表示用データ信号（映像信号）に変換してホールドし、その変換されたパラレルな表示用データ信号を水平同期信号（水平期間）に合わせて上記各データ信号線に対し同時にそれぞれ出力するようになっている。
【００４１】
また、上記ソースドライバ２は、シフトレジスタ毎の出力段に、バッファとしてのオペアンプをそれぞれ有しており、上記各オペアンプにより、ソースドライバ２から各データ信号線に出力される表示用データ信号における、出力インピーダンスの整合・低減や出力電圧の安定化が可能となっている。
【００４２】
ゲートドライバ３は、表示データに含まれる垂直同期信号に同期させた、ゲートスタートパルス信号ＧＳＰと、水平同期信号に同期させたゲートクロック信号ＧＣＫとに基づいて、各走査信号線に対して、例えば上から線順次にて、それぞれ、走査信号線上の各画素に対しＯＮ信号（表示用走査信号）を印加するようになっている。
【００４３】
次に、ゲートドライバ３の詳細な回路例を以下に示すと、ゲートドライバ３は、図１に示すように、コントロールロジック部３１、シフトレジスタ制御ブロック３２、および複数の、例えば４つの双方向シフトレジスタ部３３〜３６（走査信号線駆動部、シフトレジスタ部、シフトレジスタ）を備えている。
【００４４】
コントロールロジック部３１は、ゲートドライバ３の駆動を制御することにより、液晶パネル１の表示画面を、各データ信号線の長手方向（液晶パネル１の表示画面での上下方向（垂直方向））に沿って、各非表示部分１ｂ，１ｃと、表示部分１ａとに分割して表示するための部分表示状態を制御する制御手段としての機能を有し、コントロールＩＣ４から出力された各信号に基づいて、上記シフトレジスタ制御ブロック３２および双方向シフトレジスタ部３３〜３６、並びに、後述する、出力制御ブロック３７（制御手段、走査信号線制御手段）およびスタート位置デコード回路部４０等を制御する。
【００４５】
具体的には、上記コントロールロジック部３１は、コントロールＩＣ４から受け取ったゲートクロック信号ＧＣＫを、各双方向シフトレジスタ部３３〜３６に対し、シフトレジスタ制御ブロック３２から供給すると共に、コントロールＩＣ４から受け取ったゲートスタートパルス信号ＧＳＰに基づいて、シフトレジスタ制御ブロック３２から、各双方向シフトレジスタ部３３〜３６に対し、リセット信号を出力し、かつ、ゲートスタートパルス信号ＧＳＰおよびゲートクロック信号ＧＣＫに基づいて、各走査信号線に対し、ＯＮ信号の出力のための走査用パルス信号の出力を開始させる。
【００４６】
これにより、シフトレジスタ制御ブロック３２は、コントロールロジック部３１から受け取ったゲートスタートパルス信号ＧＳＰを合図に、各走査信号線の走査を開始し、ゲートクロック信号ＧＣＫに従って、上記双方向シフトレジスタ部３３〜３６から各走査信号線に、各走査信号線に対するＯＮ信号を出力するための走査用パルス信号（例えばHighレベルからLow レベル続いてHighレベルに変化するパルス）を出力する。
【００４７】
各双方向シフトレジスタ部３３〜３６は、各走査信号線の数が例えば２４０本の場合、それら各走査信号線の数に対応した、６０個のシフトレジスタ（後述する）をそれぞれ有し、互いに縦続して接続されていることによって、上記走査用パルス信号をゲートクロック信号ＧＣＫに基づくタイミングにてそれぞれ後述の出力制御ブロック３７に出力するようになっている。
【００４８】
さらに、上記ゲートドライバ３は、各双方向シフトレジスタ部３３〜３６からの各走査用パルス信号が入力される出力制御ブロック３７と、この出力制御ブロック３７からの各出力電圧レベルを、各走査信号線へのＯＮ信号となるように調整するためのレベルシフタ３８と、このレベルシフタ３８からの各ＯＮ信号に対し、出力インピーダンスや出力電流値の調整などの出力条件の最適化を行う各オペアンプを備えた出力回路ブロック３９とを有している。
【００４９】
上記出力制御ブロック３７は、入力される各双方向シフトレジスタ部３３〜３６からの各走査用パルス信号を、Highレベルのパルス信号として安定に出力すると共に、一度、上記Highレベルのパルス信号を出力すると、リセット信号が入力されるまで、例えばLow レベルの信号を安定に維持して出力するようになっている。
【００５０】
このため、出力制御ブロック３７は、例えば図３に示すように、Ｄフリップフロップ３７ｃとＮＯＲ回路３７ｄとからなる出力パルス制御部３７ｂを各走査信号線に応じてそれぞれ有している。Ｄフリップフロップ３７ｃのＣＫ端子には、通常は、Highレベルの信号が常時入力されており、Ｄフリップフロップ３７ｃのＤ端子には、Highレベルの信号であるＶDDの信号が入力されている。また、Ｄフリップフロップ３７ｃのＱ端子の出力は、リセット信号によりLow レベルに設定される。
【００５１】
ＮＯＲ回路３７ｄの第一入力端子には、Ｄフリップフロップ３７ｃのＱ端子の出力が入力され、ＮＯＲ回路３７ｄの第二入力端子には双方向シフトレジスタ部３３〜３６からの信号が入力されている。
【００５２】
このような出力制御ブロック３７では、通常は、双方向シフトレジスタ部３３〜３６からのHighレベルの信号が入力されるため、ＮＯＲ回路３７ｄからの出力はLow レベルを維持している。
【００５３】
一方、このような出力制御ブロック３７では、双方向シフトレジスタ部３３〜３６から走査用パルス信号（一旦Low レベルになり、直ちにHighレベルに戻る）が入力されると、その走査用パルス信号に応じて、Highレベルのパルス信号がＮＯＲ回路３７ｄから出力されるようになっている。
【００５４】
すなわち、Ｄフリップフロップ３７ｃでは、走査用パルス信号の立ち下がり時（後述するＡＮＤ回路３７ａの出力の立ち上がり時）に、Ｑ端子の出力がHighレベルに変化するが、その変化のタイムラグを利用して、ＮＯＲ回路３７ｄでは、ＡＮＤ回路３７ａがLow レベルの期間に、ＮＯＲ回路３７ｄの第一入力端子および第二入力端子がそれぞれLow レベルとなることから、上記走査用パルス信号に応じてHighレベルのパルス信号を出力することになる。
【００５５】
その後は、ＮＯＲ回路３７ｄの第一入力端子に対しては、Ｄフリップフロップ３７ｃに対し、リセット信号が供給されるまで、常時Highレベルの信号がＱ端子から入力されるので、ＮＯＲ回路３７ｄからの出力はLow レベルを維持することになる。
【００５６】
このような液晶表示装置では、液晶パネル１の各画素は１フレーム期間（垂直同期信号のパルス間隔、例えば６０Ｈｚ）内に、通常、線順次にて選択される各走査信号線にて設定されることから、ＯＮ信号を印加された走査信号線と、表示データに基づく表示用データ信号が入力される各データ信号線とによって、充電された各画素と、非充電の各画素とに、上記表示データに基づく画像を、上記各画素の液晶層に通る光を断接して表示できるようになっている。
【００５７】
そして、上記液晶表示装置は、上記表示データによる表示部分と非表示部分とを上記各画素にそれぞれ設定するための設定部を有し、例えば図２に示すように、液晶パネル１の表示画面を、各データ信号線の長手方向（液晶パネル１の表示画面での上下方向（垂直方向、列方向））に沿って、各非表示部分１ｂ，１ｃと、表示部分１ａとに分割して表示するための部分表示機能を備えている。これにより、上記液晶表示装置は、走査信号線、つまり、行によって区分される方向に、各非表示部分１ｂ，１ｃと、表示部分１ａとが区分されている。なお、図２では、表示部分１ａを挟んで各非表示部分１ｂ，１ｃをそれぞれ設けた例を挙げたが、非表示部分１ｂと表示部分１ａとの２分割や、表示部分１ａと非表示部分１ｃとの２分割も可能である。表示部分と非表示部分とは、予め、コントロールＩＣ４（設定部）に設定され、この設定に基づいて表示部分と非表示部分とが判別される。
【００５８】
このような部分表示機能を実現するために、ゲートドライバ３には、図１に示すように、スタート位置デコード回路部４０が、コントロールロジック部３１と各双方向シフトレジスタ部３３〜３６との間に設けられ、出力制御ブロック３７には、図３および図６に示すように、ＯＮ信号一括出力のための入力部（入力手段）４３とＡＮＤ回路（制御手段（走査信号線制御手段））３７ａとが、走査領域判定部（領域判定部）として設けられている。
【００５９】
また、ソースドライバ２に対しては、図示しないが、各非表示部分１ｂ，１ｃに対し、一度、各非表示部分１ｂ，１ｃ用の表示用データ信号を出力した後、次に表示部分１ａの走査開始時、または、次のゲートスタートパルス信号ＧＳＰ（同期信号（垂直同期信号）、走査開始信号）の入力時まで、ソースドライバ２の動作を停止させるソースドライバ停止手段（第一停止手段）が設けられている。
【００６０】
このようなソースドライバ停止手段としては、例えば、ソースドライバ２内、あるいは、コントロールＩＣ４における、ソースドライバ２へのクロック信号ＣＬＫを出力する側で、上記クロック信号ＣＬＫの供給を、ソース制御信号等によって停止する手段を挙げることができる。また、上記ソースドライバ停止手段としては、例えば、ＡＮＤ回路の第一入力端子にクロック信号ＣＬＫを入力し、第二端子に通常はHighレベルを、停止時にはLow レベルを入力することにより、ソースドライバ２に入力されるクロック信号ＣＬＫの入力を、任意の期間、停止するように作動する手段が挙げられる。
【００６１】
また、ゲートドライバ３にも、上記ソースドライバ停止手段と同様な、ゲートドライバ停止手段（停止手段、第二停止手段）が、例えば、停止信号としてのＧＣＮＴ2 信号により制御されるように設けられている。ＧＣＮＴ2 信号は、例えば出力制御ブロック３７における出力パルス制御部３７ｂに入力され、該出力パルス制御部３７ｂでは、画像の表示のための同期信号であるゲートスタートパルス信号ＧＳＰと移行指示信号であるゲート制御信号ＧＣＮＴ1 信号とに基づいて上記双方向シフトレジスタ部３３〜３６の作動を停止する。すなわち、上記出力パルス制御部３７ｂは、上記ＧＣＮＴ2 信号に基づいて上記双方向シフトレジスタ部３３〜３６の作動を停止する停止手段（第二停止手段）としても機能する。言い換えれば、上記双方向シフトレジスタ部３３〜３６は、上記ＧＣＮＴ2 信号に基づいて上記出力パルス制御部３７ｂの制御により、その作動を停止する。
【００６２】
また、スタート位置デコード回路部４０は、制御信号である各ＣＳ1 ／2 信号およびＵ／Ｄ信号にて各双方向シフトレジスタ部３３〜３６に対し、どの双方向シフトレジスタ部３３〜３６から走査を開始するか（ゲートスタートパルス信号ＧＳＰによるイネーブル信号をどの双方向シフトレジスタ部３３〜３６に入力するか）を制御するものである。上記スタート位置デコード回路部４０は、双方向シフトレジスタ部３３〜３６の一つの途中から、ゲートクロック信号ＧＣＫの供給を停止することで、それ以降の双方向シフトレジスタ部３３〜３６の作動を停止することもできる。
【００６３】
また、スタート位置デコード回路部４０は、リセット信号や、ゲートクロック信号ＧＣＫの断接によって必要な双方向シフトレジスタ部３３〜３６を選択、つまり必要な双方向シフトレジスタ部３３〜３６のみを動作させ、残りの双方向シフトレジスタ部３３〜３６の動作を、例えばゲートクロック信号ＧＣＫの出力停止（HighレベルまたはLow レベルに固定）によって停止するように制御するための停止手段（第二停止手段）でもある。上記Ｕ／Ｄ信号は、例えば、双方向シフトレジスタ部３３〜３６における走査方向を切り替えるためのものである。
【００６４】
このようなゲートドライバ３において、上記入力部（入力手段）４３には、各走査信号線へのＯＮ信号の出力、具体的には、各非表示部分１ｂ，１ｃにおける各走査信号線へのＯＮ信号の出力を順次出力から一括出力に移行するために用いられ、各非表示部分１ｂ，１ｃにおける各走査信号線へのＯＮ信号の一括出力を指示するためのモード信号（移行指示信号）としてのゲート制御信号ＧＣＮＴ1 が、コントロールロジック部３１から入力され、該入力部４３は、ゲート制御信号ＧＣＮＴ1 の入力に基づき、走査用パルス信号と同様の疑似走査用パルス信号（図４における out3.から out6.に示すようにほぼ同じタイミング（図４においては10.00us 近傍）で出力されるパルス信号）を生成する。
【００６５】
上記ＡＮＤ回路３７ａは、上記疑似走査用パルス信号または各双方向シフトレジスタ部３３〜３６からの走査用パルス信号が入力されると、それらに対応したパルス信号を、前記出力パルス制御部３７ｂを介して出力する切り換え手段であり、各双方向シフトレジスタ部３３〜３６とレベルシフタ３８（図６参照）との間、より具体的には、出力制御ブロック３７に、各走査信号線に応じてそれぞれ設けられている。
【００６６】
これにより、上記出力制御ブロック３７は、上記ゲート制御信号ＧＣＮＴ1 がコントロールロジック部３１から入力部４３に入力されると、該ゲート制御信号ＧＣＮＴ1 に基づいて、複数の走査信号線（例えばゲート制御信号ＧＣＮＴ1 が該出力制御ブロック３７における入力部４３に入力されてから次の順次出力が行われるまでの全走査信号線、具体的には、非表示部分１ｂ，１ｃ、特に、非表示部分１ｂ，１ｃにおける未走査領域の走査信号線）に対し、一括、例えば一水平期間または二水平期間にて一括してＯＮ信号を出力するように双方向シフトレジスタ部３３〜３６から各走査信号線へのＯＮ信号の出力を制御する制御手段（走査信号線制御手段）として機能する。
【００６７】
また、上記出力制御ブロック３７は、上記ゲート制御信号ＧＣＮＴ1 に基づいて未走査領域を判別する未走査領域判別部（例えばゲート制御信号ＧＣＮＴ1 が入力される入力部４３と上記ＡＮＤ回路３７ａとからなる、領域判定部としての走査領域判定部）を有し、上記未走査領域判別部により判別される未走査領域に対応する走査信号線のみに上記ＯＮ信号を一括出力するように双方向シフトレジスタ部３３〜３６から各走査信号線へのＯＮ信号の出力を制御する。
【００６８】
つまり、上記入力部４３および上記ＡＮＤ回路３７ａは、走査線側のドライバであるゲートドライバ３のある１垂直期間における未走査部分（例えば液晶表示素子内部のスイッチング素子をＯＮにする電圧が未出力の端子）に相当する部分を未走査領域として判別する回路として用いられる。上記走査領域、未走査領域は、例えば、使用者が、部分表示をする場合に、前記設定部により、部分表示する映像信号はここまでという命令をコントロールＩＣ４に入力し、それに基づいてコントロールＩＣ４からの上記ＧＣＮＴ1 信号や映像信号の出力が制御されることで、判別が行われる。
【００６９】
このようなゲートドライバ３では、前記のような上記出力制御ブロック３７、より具体的には、前記のような入力部４３とＡＮＤ回路３７ａとを設けたことにより、モード信号としてのＧＣＮＴ1 信号により決定（判別）される未走査領域である、各非表示部分１ｂ，１ｃに対応する各走査信号線に対し、一括して同時にＯＮ信号をゲートドライバ３から出力すると共に、各データ信号線に対しソースドライバ２から各非表示部分１ｂ，１ｃ用の表示用データ信号を一度出力することにより、液晶パネル１の各非表示部分１ｂ，１ｃの全てを、一度の走査にて単色、例えば白色に表示することができる。
【００７０】
また、未走査領域である、非表示部分１ｂ，１ｃに対応する各走査信号線を、第１のライン群と第２のライン群、例えば奇数ライン群と偶数ライン群とに分けて、上記ＧＣＮＴ1 信号に基づいて、上記第１のライン群と第２のライン群とのそれぞれに一括してＯＮ信号を出力することにより、第１のライン群と第２のライン群とでそれぞれ一括走査する場合は、図３に示すような回路を第１のライン群と第２のライン群、例えば奇数ライン群と偶数ライン群とに対応させて制御すること等により実現できる。
【００７１】
また、未走査領域である、非表示部分１ｂ，１ｃに対応する各走査信号線を、二水平ラインを一組としたときの奇数組群と偶数組群、例えば、一組目（１行目，２行目），三組目（５行目，６行目），…の走査信号線群（第１のライン群）と、二組目（３行目，４行目），四組目（７行目，８行目），…の走査信号線群（第２のライン群）とに分けて上記ＧＣＮＴ1 信号に基づいて、上記第１のライン群と第２のライン群とのそれぞれに一括してＯＮ信号を出力してもよい。また、同じ出力回路により制御される走査信号線毎に一括してＯＮ信号を出力してもよい。
【００７２】
このように、未走査領域である、非表示部分１ｂ，１ｃに対応する各走査信号線を第１のライン群と第２のライン群とに分けて各々一括走査することにより、液晶に印加される電圧の極性を一走査線あるいは二走査線毎に反転することができる。
【００７３】
このように、本実施の形態によれば、例えば、最高でも二水平周期で未走査領域全てを走査することにより、液晶に印加される電圧の極性を一水平ライン毎あるいは二水平ライン毎に変えることができる。この結果、画面のチラツキを減少、好適には防止することができる。
【００７４】
また、走査領域である表示部分１ａを一括表示する場合には、表示部分１ａの最終走査信号線において液晶に印加される電圧の極性と、一括走査する非表示部分１ｃの先頭の走査信号線において液晶に印加される電圧の極性とを異なるものにすることが望ましい。これにより、液晶の全走査信号線で一走査線毎に液晶に印加される電圧の極性が反転されることとなり、画面のチラツキを均一に減少することができる。
【００７５】
このとき、各非表示部分１ｂ，１ｃ用の表示用データ信号は、一つのデータ信号線に対し、複数の画素に電圧が印加されて上記各画素は充電される。このため、通常時と同様な時間の電圧印加では、充電量が不足することがあるが、そのような不足については、全ての各画素で同様に生じるために、各非表示部分１ｂ，１ｃでの色ムラは少なく、特に支障はないが、各非表示部分１ｂ，１ｃの各画素への充電量を確保するためには、上記表示用データ信号を、例えば、コントロールＩＣ４へのソースクロックＳＣＫのサイクル時間を長く、つまり低周波数化して、その結果、ゲートクロック信号ＧＣＫのパルス幅を長くすることにより、各画素への印加時間を通常より長く設定するようにしてもよい。
【００７６】
その上、上記構成では、一度、ソースドライバ２から各非表示部分１ｂ，１ｃ用の表示用データ信号を出力すると、次の表示部分１ａを表示するまでの間、言い換えれば、次にＯＮ信号の順次出力を行うまでの期間、上記ソースドライバ２やゲートドライバ３の出力を停止、つまり動作（作動）を停止できるので、低消費電力化を容易に達成できる。すなわち、このような液晶表示装置では、液晶パネル１の表示を通常行うと、上記液晶パネル１での消費電力の７〜８割が、ソースドライバ２の各オペアンプにて消費されるので、特に、上記ソースドライバ２の動作を停止する期間を確保することにより、部分表示機能を用いた場合でも、従来より確実に低消費電力化を図ることができる。
【００７７】
次に、本発明のゲートドライバ３を用いた液晶表示装置の動作について説明すると、まず、図２に示すように、液晶パネル１の走査信号線数およびゲートドライバ３の出力端子数（走査信号線の数）をＬ本（Ｌは正の整数）として、液晶パネル１のＭ番目の出力端子からＮ番目の出力端子までの間で部分表示駆動を実現する場合を例に挙げる。
【００７８】
ゲートドライバ３のスタート位置デコード回路部４０は、４つの双方向シフトレジスタ部３３〜３６をＣＳ1 ／2 信号により選択できる機能を有しているので、ゲートドライバ３の出力開始位置をＬ／４本毎に設定できる。この場合、ゲートドライバ３の出力開始位置は、
【００７９】
【数１】
0003822060.tif 000002
【００８０】
（ａは自然数）を満たすａを算出し、その算出したａに基づいた、〔（ａ×Ｌ÷４）＋１〕番目から、つまり各双方向シフトレジスタ部３３〜３６単位毎からに設定できる。言い換えれば、各双方向シフトレジスタ部３３〜３６における一番初めの走査信号線からに設定できる。具体例を挙げると、Ｌ＝２４０、Ｍ＝１００とした場合、ａは１となるから、ゲートドライバ３の出力開始位置は、６１番目すなわち双方向シフトレジスタ部３４からとなる。
【００８１】
このとき、図４および図５に示すように、〔（ａ×Ｌ÷４）＋１〕番目からＮ番目までは、通常と同様にゲートドライバ３内部の双方向シフトレジスタ部３４を一水平期間毎にカウントアップして走査する。ただし、〔（ａ×Ｌ÷４）＋１〕番目から（Ｍ−１）番目までは非表示部分１ｂになるため、ソースドライバ２からの出力は白表示の電圧となる。図４は、一水平期間にて、各非表示部分１ｂ，１ｃの各走査信号線に対し一括してＯＮ信号を出力する場合の例を示し、図５は、二水平期間にて、各非表示部分１ｂ，１ｃの各走査信号線に対し一括してＯＮ信号を出力する場合の例を示す。
【００８２】
Ｎ番目までの走査が終了した後、モード（Mode）信号であるゲート制御信号ＧＣＮＴ1 信号にてゲートドライバ３の未出力端子に対して、一水平期間で奇数番目の出力端子を全部同時にＯＮパルスを出力し、その次の一水平期間で偶数番目の出力端子を全部同時にＯＮパルスを出力する（図５参照）。図５は、全ての走査信号線が各非表示部分１ｂ，１ｃに含まれる各双方向シフトレジスタ部３３〜３６、例えば双方向シフトレジスタ部３３、３６を一括ＯＮして走査している場合を示している。
【００８３】
図５中に記載の各期間▲１▼〜▲７▼は以下の事項を示している。期間▲１▼は、ソースドライバ２のサンプリング動作（シリアルな表示データをパラレルな表示用データ信号に変換しホールドする動作）の要期間を示す。期間▲２▼は、ソースドライバ２のサンプリング動作停止を示す。期間▲３▼は、ソースドライバ２の出力動作要／ゲートドライバ３の出力動作要期間を示す。期間▲４▼は、ソースドライバ２の出力動作停止／ゲートドライバ３のＯＦＦ出力固定期間を示す。期間▲５▼は、非表示部分１ｂでのソースドライバ２での白信号電圧書き込み期間を示す。期間▲６▼は、表示部分１ａでのソースドライバ２における表示用データ信号（有効表示期間の映像信号）の書き込み期間を示す。期間▲７▼は、非表示部分１ｂの未走査部分と非表示部分１ｃとへの白信号電圧の一括書き込み期間を示す。
【００８４】
この二水平期間もソースドライバ２からの出力は、白表示の電圧とするが、それらの印加電圧を反転、つまり交流駆動させて、液晶パネル１の各画素における液晶層の焼き付けや表示チラツキ（フリッカー）が防止される。このような焼き付け現象を考慮する必要がない場合は、図４に示すように、一水平期間にて、各非表示部分１ｂ，１ｃに対応する各走査信号線の全てに対しＯＮ信号を出力し、ソースドライバ２からの出力を白表示の電圧にすればよい。
【００８５】
その後は、次フレームの表示が開始するまでの間、ＳＣＮＴ信号（図２参照）を制御し、ソースドライバ２の出力を停止し、ＧＣＮＴ2 信号にてゲートドライバ３の出力をＯＦＦ固定に設定すると共に、ゲートドライバ３およびソースドライバ２のロジック部分の動作も停止させる。これにより、ソースドライバ２およびゲートドライバ３の動作時間は、一水平期間で一括ＯＮさせる場合、（Ｎ−ａ×Ｌ÷４＋１）÷Ｌ、二水平期間で一括ＯＮさせる場合、（Ｎ−ａ×Ｌ÷４＋２）÷Ｌとなり、その分、低消費電力化が図られる。
【００８６】
また、表示部分１ａでは、液晶パネル１の液晶層への表示用データ信号（映像信号）書き込み周期（リフレッシュレート）は、表示する内容に依存した周期とする必要があるが（例えば、ＮＴＳＣ〔National Television System Committee：走査線数５２５本、秒３０フレーム〕等の動画表示をしようとすれば、少なくとも６０Ｈｚの周期となる）、各非表示部分１ｂ，１ｃは、本実施の形態のように、白色ベタ表示に固定となるため、リフレッシュレートを表示部分１ａより低周波数化することが可能となり、上記低周波数化によって低消費電力化および表示動作の安定化を図ることができる。すなわち、表示部分１ａと各非表示部分１ｂ，１ｃとの表示用データ信号（映像信号）書き込み周期（リフレッシュレート）を互いに異なった周期とすることで、低消費電力化および表示動作の安定化を図ることができる。
【００８７】
つまり、上記液晶表示装置においては、表示部分１ａの表示のためのクロック信号（第一クロック信号）と、各非表示部分１ｂ，１ｃの表示のためのクロック信号（第二クロック信号）とが互いに異なっていてもよい。これにより、各非表示部分１ｂ，１ｃの表示のためのクロック信号を、表示部分１ａの表示のためのクロック信号に対し、低周波数に設定できるので、低消費電力をより一層確実化できると共に、低周波数化により表示動作を安定化できる。言い換えれば、上記液晶表示装置の駆動に際し、上記走査信号線に対して、ＯＮ信号の順次出力時と一括出力時とでＯＮ信号の周波数を異ならせることが好ましい。
【００８８】
ただし、書き込む表示用データ信号（映像信号）の極性は前の表示用データ信号（映像信号）とは逆極性にする必要がある。また、非表示部分１ｂ，１ｃの低周波数化の実施においては、液晶パネル１の各液晶層の分極による焼き付けやフリッカー（画面のチラツキ）が発生しない範囲で設定すればよい。
【００８９】
これにより、上記ゲートドライバ３では、１つの双方向シフトレジスタ部に表示部分１ａと非表示部分１ｂとが存在する場合であっても、各走査信号線に対してＯＮ信号をそれぞれ出力するための複数の双方向シフトレジスタ部３３〜３６が、互いに縦続して設けられ、垂直方向、すなわち、画面の上下方向に、走査開始位置が複数設定され、上記複数の走査開始位置のうち、表示部分１ａの前部側に隣接する非表示部分１ｂにおける走査開始位置から表示部分１ａまでの非表示部分１ｂと表示部分１ａとに対応する走査信号線に上記ＯＮ信号を順次出力し、上記ゲート制御信号ＧＣＮＴ1 信号に基づいて未走査領域に対応する走査信号線に上記ＯＮ信号を一括して出力した後、次の順次出力を行うまでの期間、作動、つまり、該双方向シフトレジスタ部３３〜３６の作動が停止される。
【００９０】
つまり、上記双方向シフトレジスタ部３３〜３６は、１つの双方向シフトレジスタ部に表示部分１ａと非表示部分１ｂとが存在する場合、該双方向シフトレジスタを一括走査すると、該双方向シフトレジスタにおける表示部分（表示部分１ａの一部）が非表示となるため、上記複数の走査開始位置のうち、表示部分１ａと非表示部分１ｂとの境界に近接し、かつ、非表示部分１ｂ側の走査開始位置から、上記境界までの非表示部分１ｂに対応する走査信号線に対しては、表示部分１ａと同様の順次走査を行い、その後、表示部分１ａを順次走査した後、表示部分１ａよりも後の非表示部分１ｃから、次のフレームの表示部分１ａ、あるいは、次のフレームの表示部分１ａと非表示部分１ｂとの境界に近接し、かつ、非表示部分１ｂ側の走査開始位置までの未走査領域に対応する走査信号線に対しては、一括書き込みを行う。これにより、未走査領域に対応する走査信号線への書き込み後は、双方向レジスト部３３〜３６の動作を停止することができ、消費電力化を図ることができる。また、表示部分１ａが削減されることもない。
【００９１】
以上のように、上記の説明においては、図５に示すように、各非表示部分１ｂ，１ｃの未走査部分のみを一括ＯＮさせて一括走査することにより、表示部分１ａにおいて、上下の各走査信号線間でリフレッシュレートに差が発生することを防止し、これにより、表示部分１ａでの表示ムラを防止した例を挙げたが、さらに、低消費電力化を図るために、例えば、非表示部分１ｂの少なくとも一部と表示部分１ａの少なくとも一部とを表示する双方向シフトレジスタ部において、上記双方向シフトレジスタ部から一括ＯＮ信号を出力し、上記双方向シフトレジスタ部に対応する液晶パネル１の画面を単色表示し、続いて、上記双方向シフトレジスタ部の表示部分１ａに相当する各走査信号線に対し、タイミングを図り通常の表示のための走査を行ってもよい。
【００９２】
これにより、ソースドライバ２やゲートドライバ３が停止している期間をより長くできるので、より一層低消費電力化を図ることができる。この場合、上記表示部分１ａの少なくとも一部は、一度、一括ＯＮされた後、再度、表示用データ信号が順次書き込まれるために、液晶パネル１の表示部分１ａにおいて上下の各走査信号線間でリフレッシュレートに差が生じ、液晶パネル１の表示部分１ａにおいて明度に傾斜（グラディエント）を生じることがあるが、特に、上記表示部分１ａの範囲が狭い場合には、上記表示部分１ａの表示に関する視認性について特に支障はない。
【００９３】
なお、上記実施の形態では、液晶パネル１としてアクティブマトリクス型のＴＦＴ液晶パネルを用いた例を挙げたが、上記に限定されることはなく、例えば、ＭＩＭ（Metal Insulator Metal)型の液晶パネルや、エレクトロルミネッセンス等のフラットディスプレイにも適用可能である。
【００９４】
以下に、前記入力部４３についてさらに詳細に説明すると、上記入力部４３は、図３に示すように、Ｄフリップフロップ４３ａと、ＮＡＮＤ回路４３ｂとを有している。Ｄフリップフロップ４３ａのＤ端子には、ゲート制御信号ＧＣＮＴ1 が入力され、Ｄフリップフロップ４３ａのＣＫ端子には、ゲートクロック信号ＧＣＫが、インバータ４４およびインバータ４５を介して、若干遅延した上記ゲートクロック信号ＧＣＫが入力されている。Ｄフリップフロップ４３ａのＱ端子の出力は、ＮＡＮＤ回路４３ｂの第一入力端子に入力されている。また、ＮＡＮＤ回路４３ｂの第二入力端子には、上記ゲートクロック信号ＧＣＫが入力されている。
【００９５】
これにより、入力部４３では、ゲート制御信号ＧＣＮＴ1 が例えばHighレベルになることにより、疑似走査用パルス信号を生成するようになっている。つまり、ゲート制御信号ＧＣＮＴ1 がLow レベルのときは、Ｄフリップフロップ４３ａのＱ端子の出力はゲートクロック信号ＧＣＫのLow レベル、Highレベルに無関係にLow レベルを維持するので、ＮＡＮＤ回路４３ｂの出力はHighレベルとなっている。一方、ゲート制御信号ＧＣＮＴ1 がHighレベルになると、ゲートクロック信号ＧＣＫの立ち上がりにて、Ｄフリップフロップ４３ａのＱ端子の出力がHighレベルに変化し、ゲートクロック信号ＧＣＫがHighレベルのとき、ＮＡＮＤ回路４３ｂの出力はLow レベルとなって前記の疑似走査用パルス信号となっている。
【００９６】
また、通常、モード信号としてのゲート制御信号ＧＣＮＴ1 は、ゲートクロック信号ＧＣＫの２サイクル程度の長さのHighレベルを維持するパルス信号であるので、上記ゲート制御信号ＧＣＮＴ1 により１個の疑似走査用パルス信号を出力するようになっている。
【００９７】
以下に、シフトレジスタ制御ブロック３２および双方向シフトレジスタ部３３〜３６についてさらに詳細に説明する。なお、双方向シフトレジスタ部３３〜３６については、互いに同一のもので、また、内部は反復された回路となっているので、双方向シフトレジスタ部３３の一部についてのみ説明する。
【００９８】
まず、シフトレジスタ制御ブロック３２には、リセット信号を出力するための、２つのＤフリップフロップ３２ａ・３２ｂと、２つのＡＮＤ回路３２ｃ・３２ｄとが設けられている。
【００９９】
Ｄフリップフロップ３２ａのＤ端子には、ゲートスタートパルス信号ＧＳＰが入力され、Ｄフリップフロップ３２ａのＣＫ端子には、ゲートクロック信号ＧＣＫがインバータ４４にて反転されて入力されている。Ｄフリップフロップ３２ｂのＤ端子には、Ｄフリップフロップ３２ａのＱ端子の出力が入力され、Ｄフリップフロップ３２ｂのＣＫ端子には、ゲートクロック信号ＧＣＫがインバータ４４にて反転されて入力されている。
【０１００】
ＡＮＤ回路３２ｃの第一入力端子には、Ｄフリップフロップ３２ａのＱ端子の出力が入力され、第二入力端子には、Ｄフリップフロップ３２ｂのＱバー端子の出力が入力されている。これにより、ゲートスタートパルス信号ＧＳＰがLow レベルからHighレベルに変化すると、Ｄフリップフロップ３２ａのＱ端子の出力がLow レベルからHighレベルに変化したとき、Ｄフリップフロップ３２ｂでの遅延を経過した後、Ｄフリップフロップ３２ｂのＱバー端子の出力がHighレベルからLow レベルに変化する。
【０１０１】
したがって、そのタイムラグの間、ＡＮＤ回路３２ｃへの各入力端子への入力がそれぞれHighレベルとなり、ＡＮＤ回路３２ｃから、ゲートスタートパルス信号ＧＳＰのパルス幅より小さいパルス信号が、ゲートスタートパルス信号ＧＳＰに応じて双方向シフトレジスタ部３３〜３６へのリセット信号として出力される。
【０１０２】
また、ＡＮＤ回路３２ｄの第一入力端子には、ゲートスタートパルス信号ＧＳＰが入力され、第二入力端子にはＡＮＤ回路３２ｃからの出力が入力されている。これにより、ＡＮＤ回路３２ｄから、上記リセット信号と同様のパルス信号が、ゲートスタートパルス信号ＧＳＰに応じて出力制御ブロック３７へのリセット信号として出力される。
【０１０３】
さらに、シフトレジスタ制御ブロック３２には、双方向シフトレジスタ部３３〜３６での線順次でのＯＮ信号の出力を開始するために、２つのＤフリップフロップ３２ｅ・３２ｆと、ＡＮＤ回路３２ｇとが設けられている。
【０１０４】
Ｄフリップフロップ３２ｅのＤ端子には、Ｄフリップフロップ３２ｂのＱ端子の出力が入力され、Ｄフリップフロップ３２ｅのＣＫ端子には、ゲートクロック信号ＧＣＫがインバータ４４にて反転されて入力されている。Ｄフリップフロップ３２ｆのＤ端子には、Ｄフリップフロップ３２ｅのＱ端子の出力が入力され、Ｄフリップフロップ３２ｆのＣＫ端子には、ゲートクロック信号ＧＣＫがインバータ４４にて反転されて入力されている。
【０１０５】
ＡＮＤ回路３２ｇの第一入力端子には、Ｄフリップフロップ３２ｅのＱ端子の出力が入力され、その第二入力端子にはＤフリップフロップ３２ｆのＱバー端子の出力が入力されている。これにより、ＡＮＤ回路３２ｇの出力は、前述のＤフリップフロップ３２ｂとＡＮＤ回路３２ｃとによるHighレベルとなるパルス信号が開始信号として双方向シフトレジスタ部３３に出力される。この開始信号は、各ＡＮＤ回路３２ｃ・３２ｄからのリセット信号より、各Ｄフリップフロップ３２ｅ・３２ｆを経由した遅延により、所定期間、遅れて出力されるようになっており、ゲートクロック信号ＧＣＫに基づく双方向シフトレジスタ部３３〜３６からのＯＮ信号の線順次での出力を安定化できるようになっている。
【０１０６】
次に、双方向シフトレジスタ部３３には、ゲートクロック信号ＧＣＫにより開始され、線順次にてＯＮ信号を出力するための指示信号を出力するように、２つのＤフリップフロップ３３ｃ・３３ｄと、ＮＡＮＤ回路３３ｅとが設けられている。
【０１０７】
Ｄフリップフロップ３３ｃのＤ端子には、ＡＮＤ回路３２ｇの出力（通常は、Low レベルで、ゲートクロック信号ＧＣＫに基づくHighレベルとなるパルス信号が入力される）が入力され、ＣＫ端子にはゲートクロック信号ＧＣＫが入力され、Ｒ（リセット）端子には、ＡＮＤ回路３２ｃからの出力が入力されている。
【０１０８】
Ｄフリップフロップ３３ｄのＤ端子には、Ｄフリップフロップ３３ｃのＱ端子の出力が入力され、ＣＫ端子にはゲートクロック信号ＧＣＫがインバータ４４にて反転されて入力され、Ｒ（リセット）端子には、ＡＮＤ回路３２ｃからの出力が入力されている。
【０１０９】
ＮＡＮＤ回路３３ｅの第一入力端子には、Ｄフリップフロップ３３ｄのＱバー端子の出力が入力され、第二入力端子にはＤフリップフロップ３３ｃのＱ端子の出力が入力されている。これにより、ＮＡＮＤ回路３３ｅからの出力は、通常はHighレベルを出力しているが、ＡＮＤ回路３２ｇからのパルス信号が入力されると、ゲートクロック信号ＧＣＫのパルス幅より小さなパルス幅となるLow レベルとなる指示信号が出力される。
【０１１０】
また、双方向シフトレジスタ部３３では、このような２つのＤフリップフロップ３３ｃ・３３ｄと、ＮＡＮＤ回路３３ｅとからなるシフトレジスタが、扱う各走査信号線の数（例えば６０本）に応じてそれぞれ設けられており（図３では、部材番号３３１・３３２・３３３・…）、Ｄフリップフロップ３３ｃのＱ端子の出力が次のＤフリップフロップ３３ｃのＤ端子に入力され、Ｄフリップフロップ３３ｃでの信号遅延とゲートクロック信号ＧＣＫとに基づいて、線順次にて出力され各ＯＮ信号のための指示信号を順次出力できるようになっている。
【０１１１】
なお、上記では、制御信号である各ＣＳ1 ／2 信号およびＵ／Ｄ信号にて各双方向シフトレジスタ部３３〜３６を、リセット信号や、ゲートクロック信号ＧＣＫの断接によって選択するスタート位置デコード回路部４０を用いた例を挙げたが、上記に限定されることはなく、例えば、図６に示すように、スタート位置デコード回路部４０において、各ＣＳ1 ／2 信号により選択する各双方向シフトレジスタ部３３〜３６を選択するための指示信号を出力するスタートパルス入力データデコード部４１を設け、その指示信号によりゲートクロック信号ＧＣＫの各双方向シフトレジスタ部３３〜３６への接続を切り換えるスイッチング部４２を設けてもよい。
【０１１２】
この場合、各双方向シフトレジスタ部３３〜３６においては、それらの双方向シフトレジスタ回路部３３ｂ〜３６ｂの前段に、イネーブル信号制御部３３ａ〜３６ａを設け、順次、イネーブル信号（動作開始信号）をイネーブル信号制御部３３ａ〜３６ａから送出して、カウンター動作を省きながら、ＯＮ信号のための走査用パルス信号を送出するように設定してもよい。
【０１１３】
イネーブル信号制御部３３ａ〜３６ａは、各双方向シフトレジスタ回路部３３ｂ〜３６ｂのシフト方向およびスタート位置制御信号、各ＣＳ1 ／2 信号により選択された、各双方向シフトレジスタ回路部３３ｂ〜３６ｂの１段目の双方向シフトレジスタ回路部に、イネーブル信号を供給する制御を行うものである。この機能により、イネーブル信号制御部３３ａ〜３６ａは、上記双方向シフトレジスタ回路部３３ｂ〜３６ｂの走査開始位置を変更できるため、非表示部分１ｂ，１ｃでありながら、通常の走査（スキャン）を行う必要がある部分を低減できる。
【０１１４】
以上のように、本実施の形態に係る表示装置用駆動回路は、マトリクス状に配置された各画素に対し表示データに応じた画像を表示するための各走査信号線に対し、上記表示データに基づく表示用走査信号をそれぞれ出力するための走査信号線駆動部を有する表示装置用駆動回路において、上記各走査信号線への表示用走査信号の出力を順次出力から一括出力に移行するための移行指示信号に基づいて、複数の走査信号線に対し、一括、例えば一水平期間または二水平期間にて一括して表示用走査信号を出力するように上記走査信号線駆動部から各走査信号線への表示用走査信号の出力を制御する制御手段を有している構成である。
【０１１５】
また、本実施の形態に係る表示装置の駆動方法は、上記表示装置用駆動回路を備えた表示装置、すなわち、本実施の形態に係る画像表示装置の駆動方法に関する。
【０１１６】
本実施の形態に係る表示装置の駆動方法は、マトリクス状に配置された各画素に対し表示データに応じた画像を表示するために、各走査信号線に対してそれぞれ表示用走査信号を上記表示データに基づき出力し、上記表示データに基づく表示用データ信号を各データ信号線に出力すると共に、非画像領域と画像表示領域とからなる部分表示機能を有する表示装置の駆動方法において、非画像領域に対応する各走査信号線および各データ信号線に対し、一括、例えば一水平期間または二水平期間にて一括して上記非画像領域に応じた表示用走査信号および表示用データ信号を出力する方法である。
【０１１７】
さらに、本実施の形態に係る表示装置の駆動方法は、マトリクス状に配置された各画素に対し表示データに応じた画像を表示するために、各走査信号線に対してそれぞれ表示用走査信号を上記表示データに基づき出力し、上記表示データに基づく表示用データ信号を各データ信号線に出力すると共に、非画像領域と画像表示領域とからなる部分表示機能を有する表示装置の駆動方法において、上記各走査信号線への表示用走査信号の出力を順次出力から一括出力に移行するための移行指示信号に基づいて、上記非画像領域における各走査信号線に対し、一括、例えば一水平期間または二水平期間にて一括して表示用走査信号を出力する方法である。
【０１１８】
また、本実施の形態に係る画像表示装置は、上記表示装置用駆動回路を備えている構成である。
【０１１９】
本実施の形態に係る画像表示装置は、マトリクス状に配置された各画素に対し表示データに応じた画像を表示するために、各走査信号線に対し表示用走査信号を上記表示データに基づきそれぞれ出力する走査信号線駆動部と、上記表示データに基づく表示用データ信号を各データ信号線に出力するデータ信号線駆動部と、上記表示データによる画像表示領域と、非画像領域とを上記各画素にそれぞれ設定するための設定部とを有する画像表示装置において、上記設定部による非画像領域に対応する各走査信号線に対して表示用走査信号を一括、例えば一水平期間または二水平期間にて一括して出力するように走査信号線駆動部を制御する走査信号線制御手段を有している構成である。
【０１２０】
また、本実施の形態に係る画像表示装置は、マトリクス状に配置された各画素に対し表示データに応じた画像を表示するために、各走査信号線に対し表示用走査信号を上記表示データに基づきそれぞれ出力する走査信号線駆動部と、上記表示データに基づく表示用データ信号を各データ信号線に出力するデータ信号線駆動部とを有し、上記各画素が上記表示データによる画像表示領域と非画像領域とからなる部分表示機能を有する画像表示装置において、上記各走査信号線への表示用走査信号の出力を順次出力から一括出力に移行するための移行指示信号に基づいて、複数の走査信号線に対し、一括、例えば一水平期間または二水平期間にて一括して表示用走査信号を出力するように上記走査信号線駆動部から各走査信号線への表示用走査信号の出力を制御する走査信号線制御手段を有している構成である。
【０１２１】
なお、上記未走査領域とは、一垂直期間における未走査部分（例えば液晶表示装置等の表示装置の内部のスイッチング素子をＯＮにする電圧が未出力の端子）に相当する部分を示す。
【０１２２】
また、本実施の形態に係る表示装置用駆動回路は、マトリクス状に配置された各画素に対し表示データに応じた画像を表示するための各走査信号線に対し、上記表示データに基づく表示用走査信号をそれぞれ順次に出力するための走査信号線駆動部を有する表示装置用駆動回路において、各走査信号線への順次出力から一括出力に移行するための、移行指示信号が入力される入力手段（例えば入力部）と、移行指示信号に基づき、各走査信号線に対し一括して表示用走査信号を出力するように走査信号線駆動部を制御する制御手段（例えば出力制御ブロック、より具体的には、出力制御ブロックにおけるＡＮＤ回路）とを有している構成であってもよい。
【０１２３】
また、上記走査信号線駆動部は、各走査信号線に対して順次に表示用走査信号をそれぞれ出力するための、複数のシフトレジスタ部を互いに縦続して有している構成であってもよい。さらに、制御手段は、画像の表示のための同期信号と移行指示信号とに基づき、走査信号線駆動部の作動を停止する停止手段を有している構成であってもよい。
【０１２４】
また、本実施の形態に係る表示装置の駆動方法は、マトリクス状に配置された各画素に対し表示データに応じた画像を表示するために、各走査信号線に対し、順次に、それぞれ表示用走査信号を上記表示データに基づき出力し、上記表示データに基づく表示用データ信号を各データ信号線に出力すると共に、非画像領域と画像表示領域とからなる部分表示機能を有する表示装置の駆動方法において、非画像領域に対応する各走査信号線および各データ信号線に対し、一括して上記非画像領域に応じた表示用走査信号および表示用データ信号を出力する方法であってもよい。
【０１２５】
本実施の形態に係る画像表示装置は、マトリクス状に配置された各画素に対し表示データに応じた画像を表示するために、各走査信号線に対し表示用走査信号を上記表示データに基づき順次にそれぞれ出力する走査信号線駆動部と、上記表示データに基づく表示用データ信号を各データ信号線に出力するデータ信号線駆動部と、上記表示データによる画像表示領域と、単色の非画像領域とを上記各画素にそれぞれ設定するための設定部とを有する画像表示装置において、設定部による非画像領域に対応する各走査信号線に対して表示用走査信号を一括出力するように走査信号線駆動部を制御する走査信号線制御手段を有している構成であってもよい。
【０１２６】
さらに、本実施の形態に係る画像表示装置は、表示装置用駆動回路（例えばゲートドライバ）内部のシフトレジスタ部（例えば双方向シフトレジスタ部群）を、複数個のシフトレジスタ（例えば双方向シフトレジスタ部）の縦続接続とし、例えば外部からの設定端子（例えば設定部）により、縦続接続されたシフトレジスタの縦続接続順序を任意に設定する機能を有し、各シフトレジスタへのシフトクロックを個別に供給および停止する機能並びに各シフトレジシタを個別にリセット（停止）する機能を有している構成であってもよく、上記表示装置用駆動回路は、分割スタートが可能である構成であってもよい。
【０１２７】
上記構成および方法は、画面の一部を画像表示領域とし、その他の部分を非画像領域とする部分表示機能を有するアクティブマトリクス型液晶表示装置に好適に用いられ、非画像領域にあたる走査（すなわち、走査信号線への表示用走査信号の出力）を複数ライン（複数の走査信号線）で同時、例えば一水平期間あるいは二水平期間で同時に実施することで、低消費電力化を図ることができる。
【０１２８】
【発明の効果】
本発明の表示装置用駆動回路は、以上のように、マトリクス状に配置された各画素に対し表示データに応じた画像を表示するための各走査信号線に対し、上記表示データに基づく表示用走査信号をそれぞれ出力するための走査信号線駆動部を有する表示装置用駆動回路において、上記各走査信号線への表示用走査信号の出力を順次出力から一括出力に移行するための移行指示信号に基づいて、複数の走査信号線に対し、一括して表示用走査信号を出力するように上記走査信号線駆動部から各走査信号線への表示用走査信号の出力を制御する制御手段を有している構成である。
【０１２９】
本発明の表示装置の駆動方法は、以上のように、マトリクス状に配置された各画素に対し表示データに応じた画像を表示するために、各走査信号線に対してそれぞれ表示用走査信号を上記表示データに基づき出力し、上記表示データに基づく表示用データ信号を各データ信号線に出力すると共に、非画像領域と画像表示領域とからなる部分表示機能を有する表示装置の駆動方法において、非画像領域に対応する各走査信号線および各データ信号線に対し、一括して上記非画像領域に応じた表示用走査信号および表示用データ信号を出力する方法である。
【０１３０】
また、本発明の表示装置の駆動方法は、以上のように、マトリクス状に配置された各画素に対し表示データに応じた画像を表示するために、各走査信号線に対してそれぞれ表示用走査信号を上記表示データに基づき出力し、上記表示データに基づく表示用データ信号を各データ信号線に出力すると共に、非画像領域と画像表示領域とからなる部分表示機能を有する表示装置の駆動方法において、上記各走査信号線への表示用走査信号の出力を順次出力から一括出力に移行するための移行指示信号に基づいて、複数の走査信号線に対し、一括して表示用走査信号を出力する方法である。
【０１３１】
本発明の画像表示装置は、以上のように、マトリクス状に配置された各画素に対し表示データに応じた画像を表示するために、各走査信号線に対し表示用走査信号を上記表示データに基づきそれぞれ出力する走査信号線駆動部と、上記表示データに基づく表示用データ信号を各データ信号線に出力するデータ信号線駆動部と、上記表示データによる画像表示領域と、非画像領域とを上記各画素にそれぞれ設定するための設定部とを有する画像表示装置において、上記設定部による非画像領域に対応する各走査信号線に対して表示用走査信号を一括出力するように走査信号線駆動部を制御する走査信号線制御手段を有している構成である。
【０１３２】
また、本発明の画像表示装置は、以上のように、マトリクス状に配置された各画素に対し表示データに応じた画像を表示するために、各走査信号線に対し表示用走査信号を上記表示データに基づきそれぞれ出力する走査信号線駆動部と、上記表示データに基づく表示用データ信号を各データ信号線に出力するデータ信号線駆動部とを有し、上記各画素が上記表示データによる画像表示領域と非画像領域とからなる部分表示機能を有する画像表示装置において、上記各走査信号線への表示用走査信号の出力を順次出力から一括出力に移行するための移行指示信号に基づいて、複数の走査信号線に対し、一括して表示用走査信号を出力するように上記走査信号線駆動部から各走査信号線への表示用走査信号の出力を制御する走査信号線制御手段を有している構成である。
【０１３３】
そして、以上の各構成において、走査信号線駆動部の動作や、データ信号線駆動部の動作、表示装置の動作を、前述した期間に停止させる。
それゆえ、上記構成および方法は、例えば、非画像領域に対しては、単色、例えば白色の表示であるので、移行指示信号に基づき、複数の走査信号線に対し一括して表示用走査信号を出力することにより、上記非画像領域に対し単色の表示が可能となる。このとき、非画像領域を一括して表示できるので、走査信号線駆動部を停止する期間を確保できることから、上記走査信号線駆動部での消費電力を低減できて、低消費電力化できるという効果を奏する。
【図面の簡単な説明】
【図１】本発明のゲートドライバの回路構成を示すブロック図である。
【図２】上記ゲートドライバを有する本発明の液晶表示装置の回路構成を示すブロック図である。
【図３】上記ゲートドライバの要部回路構成を示すブロック図である。
【図４】上記ゲートドライバにおける一括出力（一水平期間）と順次出力との各信号の出力タイミングを示すタイミングチャートである。
【図５】上記ゲートドライバにおける一括出力（二水平期間）と順次出力との各信号の出力タイミングを示すタイミングチャートである。
【図６】上記ゲートドライバの変形例を示すブロック図である。
【符号の説明】
１    液晶パネル
１ａ  表示部分（画像表示領域）
１ｂ  非表示部分（非画像領域）
１ｃ  非表示部分（非画像領域）
２    ソースドライバ（データ信号線駆動部）
３    ゲートドライバ（走査信号線駆動部）
４    コントロールＩＣ（データ信号線制御手段）
３１    コントロールロジック部
３２    シフトレジスタ制御ブロック
３３    双方向シフトレジスタ部（走査信号線駆動部、シフトレジスタ部）
３４    双方向シフトレジスタ部（走査信号線駆動部、シフトレジスタ部）
３５    双方向シフトレジスタ部（走査信号線駆動部、シフトレジスタ部）
３６    双方向シフトレジスタ部（走査信号線駆動部、シフトレジスタ部）
３７    出力制御ブロック（制御手段、走査信号線制御手段）
３７ａ  ＡＮＤ回路
３７ｂ  出力パルス制御部
３８    レベルシフタ
３９    出力回路ブロック
４０    スタート位置デコード回路部
４１    スタートパルス入力データデコード部
４２    スイッチング部
４３    入力部
【図１】
0003822060.tif 000003
【図２】
0003822060.tif 000004
【図３】
0003822060.tif 000005
【図４】
0003822060.tif 000006
【図５】
0003822060.tif 000007
【図６】
0003822060.tif 000008